(57)【要約】【課題】測位の時間を短縮し、測位成功確率を高めるとともに、消費電力を削減すること。【解決手段】ＳＰＳ受信部１５０は、航法データを間欠的に含むＳＰＳ信号を間欠受信する。測位演算部１０５は、ＳＰＳ受信部１５０により受信したＳＰＳ信号より航法データを取得して測位を行う。航法データ取得判定部１０７は、測位演算部１０５において航法データの取得が可能である場合に、航法データの取得が完了するまでＳＰＳ受信部１５０におけるＳＰＳ信号の受信を継続させる。【選択図】図１
2011137711.tif 000002
【特許請求の範囲】
【請求項１】
航法データを間欠的に含む測位信号を間欠受信する受信手段と、
前記受信手段により受信した前記測位信号より前記航法データを取得して測位を行う測位演算手段と、
前記測位演算手段において前記航法データの取得が可能である場合に、前記航法データの取得が完了するまで前記受信手段における前記測位信号の受信を継続させる制御手段と、
を具備する無線受信装置。
【請求項２】
前記受信手段により受信した前記測位信号の受信品質を取得する取得手段をさらに具備し、
前記制御手段は、前記受信品質が閾値以上である場合に前記航法データの取得が可能であると判定し、前記航法データの取得が完了するまで前記受信手段における前記測位信号の受信を継続させる請求項１記載の無線受信装置。
【請求項３】
前記制御手段は、前記測位演算手段により前記航法データの取得が可能である場合において、前記測位演算手段により取得した前記航法データの有効期限までの残り期間が閾値未満の場合に、前記航法データの取得が完了するまで前記受信手段における前記測位信号の受信を継続させる請求項１または請求項２記載の無線受信装置。
【請求項４】
前記測位演算手段により取得した前記航法データを保存する保存手段をさらに具備し、
前記制御手段は、前記測位演算手段により前記航法データの取得が可能である場合において、前記保存手段に前記航法データを保存してからの経過時間が閾値以上の場合に、前記航法データの取得が完了するまで前記受信手段における前記測位信号の受信を継続させる請求項１から請求項３のいずれかに記載の無線受信装置。
【請求項５】
前記受信手段に電源を供給する電源供給手段をさらに具備し、
前記制御手段は、前記測位演算手段により前記航法データの取得が可能である場合において、前記電源の残量が閾値以上の場合に、前記航法データの取得が完了するまで前記受信手段における前記航法データの受信を継続させる請求項１から請求項４のいずれかに記載の無線受信装置。
【請求項６】
前記制御手段は、前記測位演算手段における前記航法データの取得が完了するまでの連続した所定期間において、前記受信手段における前記測位信号の受信を継続させる請求項１から請求項５のいずれかに記載の無線受信装置。
【請求項７】
前記制御手段は、前記測位演算手段における前記航法データの取得が完了するまでの複数の不連続の所定期間において、前記受信手段における前記測位信号の受信を継続させる請求項１から請求項６のいずれかに記載の無線受信装置。
【請求項８】
前記測位演算手段は、複数フレームを有する測位信号の一部の連続するフレームに含まれる前記航法データを取得し、
前記制御手段は、前記測位演算手段により前記一部のフレームの先頭フレームを取得した場合に、前記航法データの取得が完了するまで前記受信手段における前記測位信号の受信を継続させる請求項１から請求項７のいずれかに記載の無線受信装置。
【請求項９】
前記制御手段は、前記受信手段における前記航法データの送信タイミングを推定し、推定した前記送信タイミングの所定時間前において、前記航法データの取得が可能であると判定し、前記航法データの取得が完了するまで前記受信手段における前記測位信号の受信を継続させる請求項１から請求項８のいずれかに記載の無線受信装置。
【請求項１０】
前記受信手段は、前記航法データであるエフェメリスを間欠的に含むＧＰＳ信号を前記測位信号として間欠受信する請求項１から請求項９のいずれかに記載の無線受信装置。
【請求項１１】
無線受信装置における航法データ取得方法であって、
航法データを間欠的に含む測位信号を間欠受信するステップと、
受信した前記測位信号より前記航法データを取得して測位を行うステップと、
前記航法データの取得が可能である場合に、前記航法データの取得が完了するまで前記測位信号の受信を継続するステップと、
を具備する航法データ取得方法。
【発明の詳細な説明】
【技術分野】
【０００１】
本発明は、特に衛星からの信号を受信して測位を行う無線受信装置及び航法データ取得方法に関する。
【背景技術】
【０００２】
ＳＰＳ（Satellite Positioning System）受信装置は、ＧＰＳ（Global Positioning System）衛星などから送信される測位データを含む電波を受信して現在位置を検出する装置である。また、ＳＰＳ受信装置は、車両の位置を報知するカーナビゲーション装置または位置検出機能を備える携帯電話等に用いられている。
【０００３】
衛星から送信される測位データを含む信号（以下「ＳＰＳ信号」と記載する）の受信には比較的大きな電流消費を伴う。従って、バッテリーで動作するＳＰＳ受信装置を長時間駆動させるためには、電流の消費を抑制する必要がある。そのため、従来、測位を間欠的に行うＳＰＳ受信装置が提案されている（例えば、特許文献１）。
【０００４】
また、ＳＰＳ受信装置は、ＳＰＳ信号を受信することにより、疑似距離と航法データとを取得して測位を行う。また、航法データには有効期限が設けられているため、ＳＰＳ受信装置は、測位を行うためには、航法データを度々取得する必要がある。
【０００５】
しかしながら、ＳＰＳ受信装置は、疑似距離の取得に比べて、航法データの取得は容易ではない。具体的には、ＧＰＳ信号の場合、疑似距離の取得は、ＳＰＳ信号が信号強度−１６０ｄＢｍ程度でも可能であるのに対し、航法データ（エフェメリス）の取得は、−１４０ｄＢｍ以上の信号強度が一般的に必要である。ＧＰＳ信号を−１６０ｄＢｍで受信するには、ビルの陰、窓際または屋外でのカバンの中等でも可能である。一方、ＧＰＳ信号を−１４０ｄＢｍ以上で受信するには、ＳＰＳ受信装置と衛星との間に妨げるものが無く、かつ見通しがよい場所で受信する必要がある。さらに、ＧＰＳ信号は３０秒周期で繰り返し送出され、航法データはその内の１８秒程度のデータである。従って、航法データは、見通しの良い場所で１８秒以上継続して受信する必要がある。例えば、ＧＰＳ受信装置は、航法データの有効期限が切れた際に、ビルの陰または窓際等の航法データを取得することができない環境に位置する場合があり得る。この場合、ＳＰＳ受信装置は、航法データを取得することができるまで、長時間動作する必要がある。また、ＳＰＳ受信装置は、長時間動作した場合でも、航法データを取得できない場合には、疑似距離を取得することができても測位を行えないという問題がある。
【０００６】
このような問題を解決する技術として、従来、航法データを取得後、一定の時間が経過した際、アラーム音を発生させ、使用者に対し、ＧＰＳ信号が良好に受信できる環境で３０秒連続して計測操作を行うように促すものが知られている（例えば、特許文献２）。
【先行技術文献】
【特許文献】
【０００７】
【特許文献１】特開平４−３７０７７８号公報
【特許文献２】特開２００８−２４１７１９号公報
【発明の概要】
【発明が解決しようとする課題】
【０００８】
しかしながら、特許文献２においては、使用者が自発的に場所を移動し、３０秒という長時間に渡り受信操作をすることは操作性が悪く、さらに受信操作を促したとしても、使用者が移動できない場合があり得る。また、使用者は、移動可能な場合であっても、ＳＰＳ衛星との見通しが得られているか否かは分からない。従って、特許文献２においては、上記の特許文献１と同様の問題がある。
【０００９】
本発明の目的は、測位の時間を短縮することができ、測位成功確率を高めることができるとともに、消費電力を削減することができる無線受信装置及び航法データ取得方法を提供することを目的とする。
【課題を解決するための手段】
【００１０】
本発明の無線受信装置は、航法データを間欠的に含む測位信号を間欠受信する受信手段と、前記受信手段により受信した前記測位信号より前記航法データを取得して測位を行う測位演算手段と、前記測位演算手段において前記航法データの取得が可能である場合に、前記航法データの取得が完了するまで前記受信手段における前記測位信号の受信を継続させる制御手段と、を具備する構成を採る。
【００１１】
本発明の航法データ取得方法は、無線受信装置における航法データ取得方法であって、航法データを間欠的に含む測位信号を間欠受信するステップと、受信した前記測位信号より前記航法データを取得して測位を行うステップと、前記航法データの取得が可能である場合に、前記航法データの取得が完了するまで前記測位信号の受信を継続するステップと、を具備するようにした。
【発明の効果】
【００１２】
本発明によれば、測位の時間を短縮することができ、測位成功確率を高めることができるとともに、消費電力を削減することができる。
【図面の簡単な説明】
【００１３】
【図１】本発明の実施の形態に係る無線受信装置の構成を示すブロック図
【図２】本発明の実施の形態に係る無線受信装置の動作を示すフロー図
【図３】従来の測位時のＳＰＳ信号を示す図
【図４】本実施の形態の測位時のＳＰＳ信号を示す図
【発明を実施するための形態】
【００１４】
以下、本発明の実施の形態について、図面を参照して詳細に説明する。
【００１５】
（実施の形態）
図１は、本発明の実施の形態に係る無線受信装置１００の構成を示すブロック図である。無線受信装置１００は、例えばＳＰＳ受信装置である。
【００１６】
無線受信装置１００は、アンテナ１０１と、ダウンコンバート部１０２と、復調部１０３−１〜１０３−ｎと、衛星取得情報生成部１０４と、測位演算部１０５と、航法データ保存部１０６と、航法データ取得判定部１０７と、タイマ部１０８と、制御設定部１０９と、受信制御部１１０とから主に構成される。また、ＳＰＳ受信部１５０は、ダウンコンバート部１０２と、復調部１０３−１〜１０３−ｎと、衛星取得情報生成部１０４と、受信制御部１１０とを含む。また、制御部１６０は、測位演算部１０５と、航法データ保存部１０６と、航法データ取得判定部１０７と、制御設定部１０９とを含む。以下に、各構成について、詳細に説明する。
【００１７】
アンテナ１０１は、ＳＰＳ衛星から送信されるＳＰＳ信号を受信してダウンコンバート部１０２へ出力する。
【００１８】
ダウンコンバート部１０２は、アンテナ１０１から入力したＳＰＳ信号をダウンコンバートして、ＩＦ（Intermediate Frequency）信号に周波数変換する。そして、ダウンコンバート部１０２は、ＩＦ信号を復調部１０３−１〜１０３−ｎへ出力する。
【００１９】
復調部１０３−１〜１０３−ｎは、受信制御部１１０の制御に従って、ダウンコンバート部１０２から入力したＩＦ信号を復調して衛星取得情報生成部１０４へ出力する。復調部１０３−１〜１０３−ｎは、存在する衛星の数に対応してｎ（ｎは任意の自然数）個設けられている。また、ＳＰＳ信号は、ＣＤＭＡ（Code Division Multiple Access）方式を用いて送信されるため、復調部１０３−１〜１０３−ｎは、各ＳＰＳ衛星からの信号が有するＣＤＭＡコードにより、ＩＦ信号を逆拡散することによりデコードする。
【００２０】
また、復調部１０３−１〜１０３−ｎは、複数のＳＰＳ衛星からのＳＰＳ信号を同時に受信する。また、復調部１０３−１〜１０３−ｎは、同一のＳＰＳ衛星からのＳＰＳ信号について、逆拡散時における位相及び周波数をシフトして、相関の高い位相及び周波数を見つけて逆拡散を行う。
【００２１】
衛星取得情報生成部１０４は、ｎ個の復調部１０３−１〜１０３−ｎから入力した信号に基づいて、各ＳＰＳ衛星のＳＰＳ衛星取得情報を生成する。そして、衛星取得情報生成部１０４は、生成したＳＰＳ衛星取得情報を測位演算部１０５へ出力する。ここで、衛星取得情報とは、疑似距離、衛星デコード信号及び信号品質情報である。また、衛星デコード信号は、アルマナック、航法データ及び時刻情報等を含む。また、疑似距離とは、逆拡散時の位相及び周波数の条件から得られる各ＳＰＳ衛星と無線受信装置１００との間の距離である。
【００２２】
測位演算部１０５は、衛星取得情報生成部１０４から入力した衛星デコード信号から航法データを取得する。また、測位演算部１０５は、取得した航法データを航法データ保存部１０６に保存する。また、測位演算部１０５は、取得した航法データまたは航法データ保存部１０６に保存されている航法データと、衛星取得情報生成部１０４から入力した疑似距離を用いて測位演算を行い、無線受信装置１００の位置情報を生成する。そして、測位演算部１０５は、生成した位置情報を外部へ出力する。また、測位演算部１０５は、ＳＰＳ信号から航法データが取得されているか否かの判定、または衛星取得情報生成部１０４から取得した各ＳＰＳ衛星のＳＰＳ信号の受信品質の良否より、航法データ受信可否判定情報を生成して航法データ取得判定部１０７へ出力する。この際、測位演算部１０５は、例えば、ＳＮＲが規定値以上であるか否かによりＳＰＳ信号の受信品質の良否を判断する。そして、測位演算部１０５は、ＳＮＲが規定値以上であればＳＰＳ信号の受信品質は良好である航法データ受信可否判定情報を生成する。または、測位演算部１０５は、ＳＰＳ信号から航法データが取得されていると判定した場合に、航法データが取得されている航法データ受信可否判定情報を生成する。また、測位演算部１０５は、測位演算の経過状況を示す演算経過情報を制御設定部１０９へ出力する。また、測位演算部１０５は、測位演算により、ＳＰＳ信号を送出する衛星の設定情報を取得し、取得した衛星の設定情報を制御設定部１０９へ出力する。ここで、衛星の設定情報は、サーチする衛星番号及び衛星ドップラー信号等を含む。
【００２３】
航法データ保存部１０６は、測位演算部１０５から入力した航法データを保存する。また、航法データ保存部１０６は、航法データを保存してからの経過時間を計測する。
【００２４】
航法データ取得判定部１０７は、航法データ内に記載されている有効期限情報を、航法データ保存部１０６に保存されている航法データから取得する。または、航法データ取得判定部１０７は、航法データ保存部１０６が航法データを保存してからの経過時間情報を、航法データ保存部１０６から取得する。また、航法データ取得判定部１０７は、測位演算部１０５から航法データ受信可否判定情報を取得する。また、航法データ取得判定部１０７は、有効期限情報または経過時間情報と、航法データ受信可否判定情報とに基づいて、ＧＰＳ測位後も航法データの取得が完了するまで継続してＳＰＳ受信部１５０を動作させるか否かを判定する。例えば、航法データ取得判定部１０７は、航法データの有効期限の残りが２時間未満になった場合において、受信品質は良好である航法データ受信可否判定情報を得た場合、測位完了後も航法データの取得が完了するまで継続してＳＰＳ信号を受信すると判定する。または、航法データ取得判定部１０７は、航法データの有効期限の残りが２時間未満になった場合において、航法データが取得されている航法データ受信可否判定情報を得た場合、測位完了後も航法データの取得が完了するまで継続してＳＰＳ信号を受信すると判定する。または、航法データ取得判定部１０７は、航法データを取得してからの経過時間が２時間以上の場合において、航法データの受信が可能である航法データ受信可否判定情報を得た場合、測位完了後も航法データの取得が完了するまで継続してＳＰＳ信号を受信すると判定する。または、航法データ取得判定部１０７は、航法データを取得してからの経過時間が２時間以上の場合において、受信品質は良好である航法データ受信可否判定情報を得た場合、測位完了後も航法データの取得が完了するまで継続してＳＰＳ信号を受信すると判定する。そして、航法データ取得判定部１０７は、上記の判定結果である航法データ取得動作判定情報を制御設定部１０９へ出力する。
【００２５】
タイマ部１０８は、所定のタイマ周期でカウントを行う。
【００２６】
制御設定部１０９は、タイマ部１０８におけるカウント値に基づいて、間欠的に測位を行うように受信制御部１１０を制御する。また、制御設定部１０９は、航法データ取得判定部１０７から入力した航法データ取得動作判定情報に基づいて、ＳＰＳ受信部１５０を動作させるための受信部動作制御信号を受信制御部１１０へ出力する。具体的には、制御設定部１０９は、航法データ取得判定部１０７から入力した航法データ取得動作判定情報が、航法データを取得する判定である場合には、測位演算部１０５における測位演算が完了し、測位が完了した後もＳＰＳ受信部１５０において継続して航法データを取得する動作を行うように、受信部動作制御信号により受信制御部１１０を制御する。また、制御設定部１０９は、航法データ取得判定部１０７から入力した航法データ受信可否判定情報が、航法データの取得を完了したことを通知する場合には、ＳＰＳ受信部１５０の動作を終了させるように、受信部動作制御信号により受信制御部１１０を制御する。また、制御設定部１０９は、測位と航法データの取得のいずれも完了せずに一定期間経過した場合には、ＳＰＳ受信部１５０の動作を終了させるように、受信部動作制御信号により受信制御部１１０を制御する。ここで、受信部動作制御信号は、ＯＮまたはＯＦＦ等の動作制御、ＳＰＳ衛星をサーチするための周波数等のサーチ動作情報を含む。また、制御設定部１０９は、測位演算部１０５から入力した演算経過情報の測位演算の経過状況に応じて、測位動作の開始または終了の設定を行う。また、制御設定部１０９は、測位演算部１０５から入力したＳＰＳ信号を送出する衛星の設定情報に基づいて、各復調部１０３−１〜１０３−ｎが動作するパラメータを受信制御部１１０へ出力する。ここで、各復調部１０３−１〜１０３−ｎが動作するパラメータとは、周波数、位相及びＰＲＮ（pseudo-random number、疑似ランダム信号をデコードするための符号）コードである。
【００２７】
受信制御部１１０は、制御設定部１０９から入力した受信部動作制御信号に従って、ダウンコンバート部１０２、復調部１０３−１〜１０３−ｎ及び衛星取得情報生成部１０４等を制御し、ＳＰＳ受信部１５０の電源のＯＮまたはＯＦＦの制御を行う。
【００２８】
以上で、無線受信装置１００の構成の説明を終える。
【００２９】
次に、無線受信装置１００の動作について、図２を用いて説明する。図２は、無線受信装置１００の動作を示すフロー図である。ここで、図２は、ＳＰＳ信号をＧＰＳ信号とした際の航法データを取得する動作を説明するものである。また、図２は、間欠測位における１測位毎の動作を示すものである。
【００３０】
航法データ取得判定部１０７は、測位開始とともに、航法データの有効期限までの残りの期間または航法データ保存後の経過時間に基づいて、航法データの取得が必要であるか否かを判定する（ステップＳＴ２０１）。
【００３１】
航法データの取得が不要の場合には（ステップＳＴ２０１：Ｎｏ）、航法データ取得判定部１０７において航法データの取得が可能であるか否かを判定することなく、測位演算部１０５は測位動作を行う（ステップＳＴ２０２）。
【００３２】
一方、航法データの取得が必要な場合には（ステップＳＴ２０１：Ｙｅｓ）、航法データ取得判定部１０７は、航法データの取得が可能であるか否かを判定する（ステップＳＴ２０３）。
【００３３】
航法データの取得が不可能と判定した場合には（ステップＳＴ２０３：Ｎｏ）、航法データ取得判定部１０７において取得動作判定情報を出力することなく、測位演算部１０５は測位動作を行う（ステップＳＴ２０２）。
【００３４】
一方、航法データの取得が可能と判定した場合には（ステップＳＴ２０３：Ｙｅｓ）、測位演算部１０５における測位動作とともに、ＳＰＳ受信部１５０は、航法データの取得動作を行う（ステップＳＴ２０４）。
【００３５】
次に、測位演算部１０５は、測位が完了したか否かを判定する（ステップＳＴ２０５）。
【００３６】
測位が完了していない場合には（ステップＳＴ２０５：Ｎｏ）、無線受信装置１００は、ステップＳＴ２０３〜ステップＳＴ２０５の処理を繰り返す。
【００３７】
一方、測位が完了している場合には（ステップＳＴ２０５：Ｙｅｓ）、ＳＰＳ受信部１５０は、航法データの取得を継続する（ステップＳＴ２０６）。航法データは、複数のＳＰＳ衛星分同時に取得することも可能であり、図２では、衛星Ａ〜Ｃの３つのＳＰＳ衛星のＳＰＳ信号を同時に取得している。
【００３８】
また、測位演算部１０５は、航法データの取得が完了したか否かを判定する（ステップＳＴ２０７）。
【００３９】
完了していない場合には（ステップＳＴ２０７：Ｎｏ）、無線受信装置１００は、ステップＳＴ２０６及びステップＳＴ２０７の処理を繰り返す。
【００４０】
一方、完了している場合には（ステップＳＴ２０７：Ｙｅｓ）、測位演算部１０５は、航法データの取得を完了したＳＰＳ衛星以外の、他のＳＰＳ衛星の航法データの取得を継続するか否かを判定する（ステップＳＴ２０８）。
【００４１】
継続する場合には（ステップＳＴ２０８：Ｙｅｓ）、測位演算部１０５は、ステップＳＴ２０８の処理を繰り返す。
【００４２】
一方、継続しない場合には（ステップＳＴ２０８：Ｎｏ）、無線受信装置１００は、ＳＰＳ信号の受信動作を終了する。
【００４３】
ステップＳＴ２０２に戻って、ステップＳＴ２０２の処理の次に、測位演算部１０５は、測位が完了したか否かを判定する（ステップＳＴ２０９）。
【００４４】
測位が完了していない場合には（ステップＳＴ２０９：Ｎｏ）、無線受信装置１００は、ステップＳＴ２０２の処理を繰り返す。
【００４５】
一方、測位が完了している場合には（ステップＳＴ２０９：Ｙｅｓ）、無線受信装置１００は、ＳＰＳ信号の受信動作を終了する。
【００４６】
なお、図２の各動作において、タイムアウト時間を設定し、タイムアウト時間内に測位または航法データの取得が完了できない場合に、動作を中断するようにしてもよい。
【００４７】
以上で、無線受信装置１００の動作の説明を終える。
【００４８】
次に、ＳＰＳ信号を受信する従来の無線受信装置と本実施の形態の無線受信装置との相違について、図３及び図４を用いて説明する。図３は、従来の測位時のＳＰＳ信号を示す図であり、図４は、本実施の形態の測位時のＳＰＳ信号を示す図である。ここで、図３及び図４において、ＳＰＳ信号をＧＰＳ信号として説明する。
【００４９】
図３及び図４において、横軸は時間である。また、図３及び図４において、デコードされるＧＰＳ信号は、フレーム１〜フレーム５の５つのフレームで構成される。また、測位演算に用いる航法データは、フレーム１〜フレーム３に格納され、繰り返し送信される。フレーム１からフレーム５までの時間は、例えば３０秒である。また、図３及び図４において、斜線が記載されているフレームは、航法データが取得できないようなビル陰等の環境であることを示す。なお、航法データを取得できない場合であっても、疑似距離は取得可能である。
【００５０】
図３より、従来の無線受信装置では、航法データ有効期限までは、航法データを取得できない環境においても、取得済みの航法データを用い、疑似距離のみを取得して測位できる。従って、従来の無線受信装置は、航法データ有効期限までは、繰り返し測位＃３０１、＃３０２を行うことができる。しかし、図３では、航法データ有効期限を越えた際、航法データの取得が不可能な環境であるため、航法データを取得することはできない。この場合、従来の無線受信装置は、航法データを取得できるまで継続してＧＰＳ信号の受信を行う。即ち、図３の期間Ｔ１において、ＧＰＳ信号の受信を行う。
【００５１】
図３では、時間帯＃３０３において、航法データを取得することができ、測位が完了する。すなわち、図３の場合、１回の測位において、航法データを取得するまでに、デコード信号のフレーム１〜フレーム５の２周期分の時間と時間帯＃３０３との合計時間（図３のＴ１）として、１分１８秒程度かかることになる。また、測位動作中断までのタイムアウト時間を設定している場合、例えば、１分のタイムアウト時間を設定している場合には、図３において測位失敗となり測位結果を出力することができない。
【００５２】
一方、図４より、本実施の形態の無線受信装置１００では、２回目の測位＃４０１、つまり航法データ有効期限よりも前で、かつ航法データの取得可能な測位＃４０１の時に、測位自体は数秒で終わるにも関わらず、継続して航法データを取得する。即ち、本実施の形態では、航法データ有効期限よりも前であるにも関わらず、航法データの取得が可能な時に、航法データを取得する。そして、航法データの取得後にＧＰＳ信号の受信動作を完了する。測位終了後の航法データを取得するまでに約３０秒必要である。その後は、期間Ｔ１において取得した航法データを用いて、数秒毎の測位を行う。
【００５３】
このように、本実施の形態によれば、航法データ有効期限よりも前であるにも関わらず、航法データの取得が可能な時に、航法データを取得する。これにより、測位の時間を短縮することができ、測位成功確率を高めることができるとともに、消費電力を削減することができる。
【００５４】
なお、本実施の形態において、航法データの有効期限までの残り期間、または航法データを保存してからの経過時間に基づいて、航法データの取得動作を継続する。しかし、本実施の形態においては、これら以外にも、ＳＰＳ受信装置を駆動するバッテリーの残量に応じて、航法データの取得動作を継続するか否かを判断してもよい。例えば、航法データ取得判定部１０７は、航法データの取得が可能な場合において、バッテリーの残量が閾値以上である検出結果が入力した場合、航法データの取得動作を継続すると判断してもよい。これにより、バッテリーの減りを抑えることができる。また、本実施の形態において、間欠測位の時間長に応じて、航法データの取得動作を継続するか否かを判断する周期を制御してもよい。例えば、間欠測位の時間長が長い場合には、上記の判断の周期を早めてもよい。これにより、間欠測位の周期が長すぎることにより、航法データを取得できないリスクを回避し、利便性を高めることができる。
【００５５】
また、図３及び図４に示したように、本実施の形態では、航法データは複数のデータフレームを用いて送信される。この際、本実施の形態において、ＳＰＳ受信装置は、連続したフレームにより航法データを取得するようにしたが、本発明はこれに限らず、複数回の不連続なフレームに分けて、航法データを取得するようにしてもよい。この場合、ＳＰＳ受信装置は、フレーム毎に航法データ保存部１０６に航法データを保存し、測位演算時には複数回に分けて、取得した航法データを使用する。複数回に分ける条件としては、各測位の時間短縮のために各測位で分担して取得して航法データを生成するようにしても良い。または、連続して取得している途中で環境等の変化により取得できなくなった場合に、一部だけ取得できたものを保持し、別の測位の際に補う部分を取得して航法データを生成するようにしてもよい。このように、航法データを分割して取得することにより、効率的に航法データを取得し、動作時間を減らして消費電力を削減することができる。
【００５６】
また、図３及び図４に示したように、航法データは、衛星デコード信号（図３及び図４の場合にはフレーム１〜フレーム５）のうちの１部に格納されている（図３及び図４の場合にはフレーム１〜フレーム３）。従って、効率的に航法データを取得するために、測位動作中に航法データ部分の取得が開始できた場合（フレーム１の先頭から受信できた場合）には、測位完了後も航法データ取得を継続するようにしてもよい。さらに、航法データは図３及び図４に示すように周期的に送信され、航法データが送信されるタイミングは類推することができる。例えば、図３及び図４で示す航法データが含まれるフレーム１〜フレーム３の各フレームは、３０秒毎に送信される。また、フレーム１の開始タイミングは３０秒毎となる。従って、無線受信装置１００は、一度航法データを取得すると、フレーム１の送信タイミングがわかる。具体的には、制御設定部１０９は、タイマ部１０８から出力されるカウント値に基づいて、以前の航法データの取得タイミングから、もしくは、ＳＰＳ信号をデコードして取得される時刻情報から航法データの送信タイミングを推定することができる。そして、制御設定部１０９は、測位が休止している状態から受信部動作制御信号によりＳＰＳ受信部１５０をＯＮにする。このＳＰＳ受信部１５０をＯＮにするタイミングは、例えば、フレーム１が送信される数秒前にし、測位動作を継続することができる。これにより、航法データを効率的に取得することができる。このように航法データ送信の直前のタイミングに測位動作を継続する判定を行ってもよい。これらの動作によって衛星デコード信号の航法データ以外の部分を取得する時間を削減でき、無線受信装置１００の動作時間を減らすことができ、消費電力を削減することができる。
【産業上の利用可能性】
【００５７】
本発明にかかる無線受信装置及びデータ取得方法は、特に衛星からの信号を受信して測位を行うのに好適である。
【符号の説明】
【００５８】
１００  無線受信装置
１０１  アンテナ
１０２  ダウンコンバート部
１０３−１〜１０３−ｎ  復調部
１０４  衛星取得情報生成部
１０５  測位演算部
１０６  航法データ保存部
１０７  航法データ取得判定部
１０８  タイマ部
１０９  制御設定部
１１０  受信制御部
１５０  ＳＰＳ受信部
１６０  制御部
【図１】
2011137711.tif 000003
【図２】
2011137711.tif 000004
【図３】
2011137711.tif 000005
【図４】
2011137711.tif 000006